(57)【要約】【課題】耐用年数をより長くすることが可能であり、かつ歩道設置のための草木の除去をより少なくすることが可能な歩道を提供すること。【解決手段】本発明は、複数の網目状踏板と、上記網目状踏板の間に配置される複数の連結部材と、を有する歩道に関する。上記連結部材は、上記網目状踏板を、地面の傾斜に応じた異なる位置で保持する。【選択図】図１
2018145755.tif 000002
【特許請求の範囲】
【請求項１】
複数の網目状踏板と、前記網目状踏板の間に配置される複数の連結部材と、を有する歩道であって、
前記連結部材は、前記網目状踏板を、地面の傾斜または凹凸に応じた異なる位置で保持することを特徴とする歩道。
【請求項２】
前記網目状踏板は、急傾斜地での前記網目状踏板の長さが、緩傾斜地での前記網目状踏板の長さより短い、請求項１に記載の歩道。
【請求項３】
前記連結部材は、山側と谷側とで、前記網目状踏板の幅方向の高さが異なる、請求項１または２に記載の歩道。
【請求項４】
前記連結部材は、スクリュー杭で位置決めされる、請求項１〜３のいずれか１項に記載の歩道。
【請求項５】
前記連結部材は、岩に埋め込まれたボルトで位置決めされる、請求項１〜３のいずれか１項に記載の歩道。
【請求項６】
前記連結部材は、伸縮可能なワイヤーで位置決めされる、請求項１〜５のいずれか１項に記載の歩道。
【請求項７】
前記連結部材は、丸太状部材または金属部材を組み合わせてなる、請求項１〜６のいずれか１項に記載の歩道。
【請求項８】
前記連結部材は、丸太状部材を組み合わせてなり、
前記網目状踏板は、前記丸太状部材に嵌め込み可能な形状のフレームを備える、
請求項１〜６のいずれか１項に記載の歩道。
【発明の詳細な説明】
【技術分野】
【０００１】
本発明は、歩道に関する。
【背景技術】
【０００２】
山岳地の登山道や自然公園等の散策路の多くは、草木を除去したのみの裸地の歩道であり、人は踏圧で固められた土石の上を歩行する。傾斜地などでは、歩道の縁部からの土砂流出を抑制するために丸太を配置した丸太階段が用いられている。しかし、丸太階段は、雨水や融雪水、霜柱などにより土砂が流出したり、歩行者の踏圧や冬季の積雪の圧力などで丸太が崩れやすいため、耐用年数が短く、また丸太設置時の草木除去により植生の非連続部分が生じ、裸地部の拡大による自然破壊の原因ともなりかねない。
【０００３】
たとえば、特許文献１には、降雨時の表流水による丸太階段側方の土砂の洗掘などを抑制するため、丸太階段に配置された丸太の中央部に凹部を設けて丸太中央部に表流水を集約する技術が記載されている。
【先行技術文献】
【特許文献】
【０００４】
【特許文献１】特開平１１−７１７０９号公報
【発明の概要】
【発明が解決しようとする課題】
【０００５】
しかし、特許文献１に記載の技術でも、歩行者の踏圧や積雪の圧力により丸太が崩れるため耐用年数が短いという問題は解消されず、また草木の除去が必要な点、さらには一度裸地化した歩道の植生が回復しにくい点には変わりがない。
【０００６】
上記問題に鑑み、本発明は、耐用年数をより長くすることが可能であり、かつ歩道設置のための草木の除去および地表形状の変更をより少なくすることが可能な歩道を提供することを、その目的とする。
【課題を解決するための手段】
【０００７】
本発明は、複数の網目状踏板と、前記網目状踏板の間に配置される複数の連結部材と、を有する歩道であって、前記連結部材は、前記網目状踏板を、地面の傾斜または凹凸に応じた異なる位置で保持することを特徴とする歩道に関する。
【発明の効果】
【０００８】
本発明によれば、耐用年数をより長くすることが可能であり、かつ歩道設置のための草木の除去および地表形状の変更をより少なくするとともに、裸ことが可能な歩道が提供される。
【図面の簡単な説明】
【０００９】
【図１】図１は、本発明の第１の実施形態に係る歩道を表す模式的な斜視図である。
【図２】図２は、本発明の第１の実施形態に係る歩道を表す模式的な断面図である。
【図３】図３は、本発明の第１の実施形態に係る歩道を表す模式的な平面図である。
【図４】図４は、本発明の第２の実施形態に係る歩道を表す模式的な斜視図である。
【図５】図５は、本発明の第３の実施形態に係る歩道を表す模式的な断面図である。
【図６】図６は、本発明の第４の実施形態に係る歩道を表す模式的な平面図である。
【図７】図７は、本発明の第５の実施形態に係る歩道を表す模式的な断面図である。
【図８Ａ】図８Ａは、本発明の他の実施形態における連結部材を表す模式的な側面図である。
【図８Ｂ】図８Ｂは、本発明の他の実施形態における連結部材を表す模式的な側面図である。
【図９】図９は、本発明の他の実施形態における連結部材を表す模式的な側面図である。
【発明を実施するための形態】
【００１０】
以下、複数の実施形態を参照して、本発明の歩道を説明する。
【００１１】
［第１の実施形態］
本発明の第１の実施形態に係る歩道１００は、その模式的な斜視図である図１、模式的な断面図である図２および模式的な平面図である図３に示すように、複数の網目状踏板１１０と、上記網目状踏板１１０の間に配置される複数の連結部材１２０と、上記網目状踏板１１０と上記連結部材１２０に固定する結束ベルト１３０と、上記網目状踏板１１０を位置決めするスクリュー杭１４０およびワイヤー１５０と、を備える。歩道１００は、図１に矢印で示す方向に傾斜を有する傾斜地に設けられる歩道である。
【００１２】
網目状踏板１１０は、人が歩行する歩行領域となる。網目状踏板１１０は、歩行面１１２と、歩行面１１２の周縁部に略直交するよう配置されたフレーム１１４を備える。歩行面１１２は、人の歩行に耐えうる強度を有する、網目状の部材であり、たとえばエキスパンドメタルまたはグレーチングなどから構成される。なお、グレーチングは、鋼材や木材を格子状または連子状に組んだものであってもよい。フレーム１１４は、歩行面に固定可能であればよく、たとえば上記歩行面に溶接などにより固定された金属などから構成される。なお、フレーム１１４は、網目状踏板１１０を連結部材１２０に接続するためのボルトまたはステープルなどを通す貫通孔や、地面に位置決めされるためのワイヤー１５０を結びつけるための貫通孔などを有してもよい。
【００１３】
網目状踏板１１０は、連結部材１２０により地面から離れて上方に設置される。これにより、歩行者は地面を踏まずに歩行できるため、降雨時などにおける人の踏圧による土砂の流出を抑制可能である。また、網目状踏板１１０は、その歩行面１１２が網目状であるため日光および雨水を透過可能である。これにより、網目状踏板１１０は、その下方における植物の生育を妨げにくい。
【００１４】
なお、網目状踏板１１０は、傾斜に応じてその長さを変更可能である。たとえば、急傾斜地では網目状踏板１１０の長さをより短くすれば、連結部材１２０により設けられる段の高さを小さくして歩行者の歩行を容易にすることが可能である。また、緩傾斜地では網目状踏板１１０の長さをより長くすれば、連結部材１２０を設ける個数を減らして、より廉価での歩道１００の設置が可能である。
【００１５】
連結部材１２０は、複数の網目状踏板１１０を連結する。連結部材１２０は、複数の丸太を段状に積み上げてなり、いずれも上記丸太から構成される、地面（斜面）に接する台座部１２２、隣接する網目状踏板１１０間に段差を設けるための段差部１２３および網目状踏板を保持する保持部１２４を備える。台座部１２２、段差部１２３および保持部１２４は、いずれも間伐材などを組み合わせて作製可能である。
【００１６】
台座部１２２は、複数の丸太からなる土台である。台座部１２２を構成する丸太の数および長さは、任意に設定できる。たとえば歩道１００の強度を高めたいときは台座部１２２を構成する丸太の数を多くまたは丸太を長くすればよい。台座部１２２は、歩道１００の幅より短い複数の丸太を歩道１００の幅方向に分けて配置して、踏圧や土壌水分による劣化時の入れ替えを容易にし、かつ、後述するように幅方向への傾斜地への適用を容易にすることができる。台座部１２２は、斜面の保持部１２４と直行する方向に丸太を配置して、丸太の長手方向が斜面に沿う方向に配置してもよい。
【００１７】
段差部１２３は、隣接する網目状踏板１１０間に段差を設けるときに用いられる。段差部１２３は、たとえば急傾斜地や丸太の直径が小さいときは丸太を積み重ねて複数の段を形成してもよいし、緩傾斜地や丸太の直径が大きいときは１段としたり段差部１２３の設置を省略したりしてもよい。
【００１８】
保持部１２４は、網目状踏板１１０の前後に配置され、フレーム１１４および保持部１２４を貫通するボルトと上記ボルトを固定するナットや、フレーム１１４を貫通するステープルによって、フレーム１１４（網目状踏板１１０）に接続される。
【００１９】
連結部材１２０（保持部１２４）は、地面の傾斜または凹凸に応じた異なる位置で網目状踏板１１０を保持する。具体的には、図２に示すように、傾斜地のより下方に位置する網目状踏板１１０はより土台に近い側で保持部１２４に接続され、傾斜地のより上方に位置する網目状踏板１１０はより土台から遠い側で保持部１２４に接続される。これにより、連結部材１２０は、網目状踏板１１０の高さ方向の位置を容易に調整し、傾斜地でも歩道１００を略水平に設置可能とする。
【００２０】
結束ベルト１３０は、前後の網目状踏板１１０のフレーム１１４と、連結部材１２０の段差部１２３および保持部１２４とを結束して固定する。結束ベルト１３０は、鉄などの金属、皮革および合成樹脂などの公知の材料からなるベルトとすることができる。
【００２１】
スクリュー杭１４０は、地面に差し込まれるスクリュー部１４２と、ワイヤー１５０を係留するためのＣ字状または輪状のアンカー部１４４と、を備える。スクリュー部１４２は、人力で地中に回転挿入が可能であり、また、地中の石などを避けて斜めに挿入も可能である。そのため、スクリュー部１４２は、特許文献１にも記載のような公知の丸太杭とは異なり、挿入時の土壌構造の破壊を抑制可能であり、土壌の流出の原因となりにくい。アンカー部１４４は、ワイヤー１５０の端部を結びつけたり、フック状としたワイヤー１５０の端部を掛けたりして、ワイヤー１５０をスクリュー部１４２に連結して固定する。このとき、Ｃ字状または輪状のアンカー部１４４は、スクリュー部が挿入される方向にかかわらず、ワイヤー１５０を網目状踏板１１０の方向に伸長させることを可能とする。
【００２２】
ワイヤー１５０は、その一方の端部が網目状踏板１１０の縁（たとえばフレーム１１４）に固定され、他方の端部がアンカー部１４４に固定されて、網目状踏板１１０を位置決めする。ワイヤー１５０は、金属ケーブルなどの任意の部材とすることができる。
【００２３】
以上、本実施形態の歩道１００は、歩行者が地面を踏まずに通行可能であるため、踏圧による植生の破壊や降雨時の土壌攪乱などを抑制可能である。また、本実施形態の歩道１００は、日光および雨水が網目状踏板１１０を透過するため、歩道１００の下部でも植物が生育可能であり、歩道１００の設置による地表の植生破壊を抑制可能である。また、本実施形態の歩道１００は、日光および雨水が網目状踏板１１０を透過するため、従来の歩道の設置により裸地化した地表上に設けたときも歩道１００の下部で植物が生育可能であり、植生回復および自然復元の促進が可能である。
【００２４】
また、本実施形態の歩道１００は、連結部材１２０により地面から離れて上方に設置される網目状踏板１１０を人が歩行する歩行領域とし、地面とは連結部材の台座部のみで接するため、歩道設置時の地表形状の変更をより少なくすることが可能である。
【００２５】
また、本実施形態の歩道１００は、連結部材１２０に間伐材を用いるので、廉価であり、かつ自然への負担がより少ない。
【００２６】
［第２の実施形態］
図４は、本発明の第２の実施形態に係る歩道２００を表す模式的な斜視図である。本実施形態に係る歩道２００は、図４に２本の矢印で示す方向に傾斜を有する、歩道２００の幅方向にも傾斜を有する傾斜地に設けられる歩道である。本実施形態に係る歩道２００は、連結部材２２０の構成が異なるほかは第１の実施形態における歩道２００と略同様の構成を有するため、共通する部分の説明は省略する。
【００２７】
歩道２００は、山側と谷側とで網目状踏板１１０の幅方向の地面からの高さが異なる。
【００２８】
具体的には、連結部材２２０は、台座部１２２を構成する丸太を、谷側（図面左下方向側）にのみ有する。地表傾斜に応じて台座部１２２を構成する丸太の山側と谷側の数を変更することにより、連結部材２２０は、網目状踏板１１０を、山側（図面右上方向側）ではより地面から低い位置で保持し、谷側ではより地面から高い位置で保持して、網目状踏板１１０を水平に保持する。なお、網目状踏板１１０の高さを調整する方法は、台座部１２２を構成する丸太の有無には限定されず、たとえば、連結部材２２０は、保持部１２４を構成する丸太の段数を変更して、山側と谷側とでの網目状踏板１１０の高さを変更してもよい。
【００２９】
このとき、スクリュー杭１４０およびワイヤーは、図４に示すように山側から網目状踏板１１０を位置決めしてもよいし、第１の実施形態と同様に（図２に示すように）歩行者の進行方向から網目状踏板１１０を位置決めしてもよい。
【００３０】
本実施の形態によれば、歩道の幅方向に傾斜を有する土地にも歩道を設置することが可能であり、歩道をより多様な傾斜地に設置可能である。
【００３１】
［第３の実施形態］
図５は、本発明の第３の実施形態に係る歩道３００を表す模式的な断面図である。本実施形態に係る歩道３００は、積雪量がより多い傾斜地に設けられる歩道である。本実施形態に係る歩道３００は、ワイヤーの構成が異なるほかは第１の実施形態における歩道１００または第２の実施形態における歩道２００と同様の構成を有するため、共通する部分の説明は省略する。
【００３２】
ワイヤー２５０は、ばね部材２５２を備える、伸縮可能なワイヤーである。ワイヤー２５０は、積雪時に雪のグライド（積雪層のスベリ）によりばね部材２５２が伸長し、歩道３００を、グライドする積雪と一体となって斜面下方にずらす。これにより、ワイヤー２５０は、積雪時のグライドによる歩道３００の破壊を抑制可能である。本実施形態に係る歩道３００は、積雪量が多く、たとえば積雪量が３ｍ〜１０ｍ程度になるような地域でその効果が顕著である。
【００３３】
積雪のグライド量は、積雪深と斜面傾斜に依存しいずれかが大きくなると増加する。ばね部材２５２は、その伸縮可能な量が積雪層のスベリ量以上であればよく、傾斜が２０°程度の斜面だと、１０ｃｍ〜２０ｃｍ程度伸縮可能であればよい。
【００３４】
また、本実施形態において、図５に示すように、台座部１２２を、丸太の長手方向が斜面に沿う方向に配置すると、雪のグライドが生じてワイヤー２５０が延びたときに、台座部１２２は移動せずに、段差部１２３および保持部１２４のみが台座部１２２上の凍結した部分を滑ることができる。そのため、このような台座部１２２は、雪のグライドが生じてワイヤー２５０が延びたときに段差部１２３および保持部１２４を台座部１２２から落下しにくくすることができる。このとき、台座部１２２は、積雪層のスベリ量より長くすることが望ましい。
【００３５】
本実施の形態によれば、積雪量が多い土地に歩道を設置したときも、歩道の耐用期間を長くすることが可能である。
【００３６】
［第４の実施形態］
図６は、本発明の第４の実施形態に係る歩道４００を表す模式的な平面図である。本実施形態に係る歩道４００は、岩場である傾斜地に設けられる歩道である。本実施形態に係る歩道４００は、位置決めの方法が異なるほかは第１の実施形態における歩道１００、第２の実施形態における歩道２００または第３の実施形態における歩道３００と同様の構成を有するため、共通する部分の説明は省略する。
【００３７】
本実施形態に係る歩道４００は、岩（Ｒ）に埋め込まれたボルト１４６と、ボルト１４６に係留されたワイヤー１５０または２５０とによって吊下げられ位置決めされる。ワイヤー１５０または２５０は、その一方の端部が網目状踏板１１０の縁（たとえばフレーム１１４）に固定され、他方の端部がボルト１４６が備えるＣ字状または輪状のアンカー部に係留されて、網目状踏板１１０を位置決めする。
【００３８】
本実施の形態によれば、岩場にも歩道を設置することが可能であり、歩道をより多様な傾斜地に設置可能である。
【００３９】
［第５の実施形態］
図７は、本発明の第５の実施形態に係る歩道５００を表す模式的な断面図である。本実施形態に係る歩道５００は、保持部１２４の位置が異なるほかは第１の実施形態における歩道１００、第２の実施形態における歩道２００、第３の実施形態における歩道３００または第４の実施形態における歩道４００と同様の構成を有するため、共通する部分の説明は省略する。
【００４０】
本実施形態に係る歩道５００は、保持部１２４が網目状踏板１１０のフレーム１１４の内側に嵌め込み可能な形状である。
【００４１】
本実施の形態によれば、より強固に網目状踏板１１０を連結部材１２０または２２０に接続可能である。
【００４２】
なお、上述の各実施形態はいずれも本発明の一例を示すものであり、本発明は上述の各実施形態に限定されるものではなく、本発明の思想の範囲内において、上述の各実施形態を矛盾のないように組み合わせてもよいし、また、他の種々多様な実施形態も可能であることは言うまでもない。
【００４３】
たとえば、上述の各実施形態では、丸太状の間伐材を組み合わせて連結部材を作製しているが、丸太状に成形した合成樹脂を組み合わせて連結部材としてもよい。
【００４４】
また、上述の各実施形態では、複数の丸太を寝かせて段状に積み上げて連結部材としていたが、図８Ａに示すように高さの異なる複数の丸太を結束して地面に立てて、それぞれの丸太に網目状踏板１１０を接続（嵌め込み）してもよいし、図８Ｂに示すように段差を設けた丸太を地面に立てて、それぞれの段の部分に網目状踏板１１０を接続してもよい。
【００４５】
また、上述の各実施形態では、複数の丸太を寝かせて段状に積み上げて連結部材としていたが、図９に示すように、強度が大きい金属（鋼材など）を連結部材に使用してもよい。金属製の連結部材は、地上から高い位置に歩道（網目状踏板）を設置する必要がある場合などに特に有用である。また、金属製の連結部材は、上述した第２の実施形態のように歩道の幅方向にも傾斜を有する傾斜地に歩道を設けるときに、山側と谷側とで網目状踏板を連結部材に接続する位置を容易に調整可能である。
【産業上の利用可能性】
【００４６】
本発明の歩道は、耐用年数をより長くすることが可能であり、かつ歩道設置のための草木の除去をより少なくすることが可能である。また、本発明の歩道は、歩行者に地面を踏まずに空中を歩行させるため、より環境への負担を少なくでき、山岳地の登山道や自然公園等の散策道動の利用と、自然環境の保護および復元との両立を可能にする。
【符号の説明】
【００４７】
１００、２００、３００、４００、５００  歩道
１１０  網目状踏板
１１２  歩行面
１２０、２２０  連結部材
１２２  台座部
１２３  段差部
１２４  保持部
１３０  結束ベルト
１４０  スクリュー杭
１４２  スクリュー部
１４４  アンカー部
１４６  ボルト
１５０、２５０  ワイヤー
２５２  ばね部材
【図１】
2018145755.tif 000003
【図２】
2018145755.tif 000004
【図３】
2018145755.tif 000005
【図４】
2018145755.tif 000006
【図５】
2018145755.tif 000007
【図６】
2018145755.tif 000008
【図７】
2018145755.tif 000009
【図８Ａ】
2018145755.tif 000010
【図８Ｂ】
2018145755.tif 000011
【図９】
2018145755.tif 000012
【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
複数の網目状踏板と、前記網目状踏板の間に配置され、２つの前記網目状踏板を連結する連結部材と、を有する歩道であって、
前記連結部材は、地面に配置され、地面の傾斜または凹凸に応じた異なる高さで、かつ地面から離れた位置で、前記２つの網目状踏板を保持することを特徴とする歩道。
【請求項２】
前記網目状踏板は、地面の傾斜に応じて長さが異なる、請求項１に記載の歩道。
【請求項３】
前記連結部材は、山側と谷側とで、前記網目状踏板の幅方向の高さが異なる、請求項１または２に記載の歩道。
【請求項４】
前記連結部材は、スクリュー杭で位置決めされる、請求項１〜３のいずれか１項に記載の歩道。
【請求項５】
前記連結部材は、岩に埋め込まれたボルトで位置決めされる、請求項１〜３のいずれか１項に記載の歩道。
【請求項６】
前記連結部材は、伸縮可能なワイヤーで位置決めされる、請求項１〜５のいずれか１項に記載の歩道。
【請求項７】
前記連結部材は、丸太状部材または金属部材を組み合わせてなる、請求項１〜６のいずれか１項に記載の歩道。
【請求項８】
前記連結部材は、丸太状部材を組み合わせてなり、
前記網目状踏板は、前記丸太状部材に嵌め込み可能な形状のフレームを備える、
請求項１〜６のいずれか１項に記載の歩道。
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
複数の網目状踏板と、前記網目状踏板の間に配置され、２つの前記網目状踏板を連結する連結部材と、を有する歩道であって、
前記連結部材は、地面に配置され、地面の傾斜または凹凸に応じた異なる高さで、かつ地面から離れた位置で、前記２つの網目状踏板を保持し、
前記網目状踏板は、地面の傾斜に応じて長さが異なることを特徴とする歩道。
【請求項２】
前記連結部材は、山側と谷側とで、前記網目状踏板の幅方向の高さが異なる、請求項１に記載の歩道。
【請求項３】
前記連結部材は、スクリュー杭で位置決めされる、請求項１または２に記載の歩道。
【請求項４】
前記連結部材は、岩に埋め込まれたボルトで位置決めされる、請求項１または２に記載の歩道。
【請求項５】
前記連結部材は、伸縮可能なワイヤーで位置決めされる、請求項１〜４のいずれか１項に記載の歩道。
【請求項６】
前記連結部材は、丸太状部材または金属部材を組み合わせてなる、請求項１〜５のいずれか１項に記載の歩道。
【請求項７】
前記連結部材は、丸太状部材を組み合わせてなり、
前記網目状踏板は、前記丸太状部材に嵌め込み可能な形状のフレームを備える、
請求項１〜５のいずれか１項に記載の歩道。